(57)【要約】【課題】防犯やプライバシー保護に配慮しながら通風効率を高めることができる通風機能を有するドアを提供する。【解決手段】このドア１においては、ドア本体１０の通風用開口部１７の屋外側を覆い隠すカバー部材２２が、ドア本体１０の屋外側表面１０ａよりも屋外方向へ張り出した状態で固定されている。また、ドア本体１０の屋外側表面１０ａに沿って横方向に流れる風をカバー部材２２の裏側に取り込む風取込口３０、３０が形成され、カバー部材２２の裏側に、風取込口３０、３０から取り込んだ風が通風用開口部１７へ流れ込むように風の流れを切り換える風当たり部３１、３１が設けられている。【選択図】図４
2014031674.tif 000002
【特許請求の範囲】
【請求項１】
ドア本体（１０）に屋内外を連通する通風用開口部（１７）が形成され、前記通風用開口部（１７）の屋外側を覆い隠すカバー部材（２２）が前記ドア本体（１０）の屋外側表面（１０ａ）よりも屋外方向へ張り出した状態で固定され、前記ドア本体（１０）の屋外側表面（１０ａ）に沿って横方向に流れる風を前記カバー部材（２２）の裏側に取り込む風取込口（３０）（３０）が形成され、前記カバー部材（２２）の裏側に、前記風取込口（３０）（３０）から取り込んだ風が前記通風用開口部（１７）へ流れ込むように風の流れを切り換える風当たり部（３１）（３１）が設けられたことを特徴とする通風機能を有するドア。
【請求項２】
前記カバー部材（２２）は、前記通風用開口部（１７）の幅方向中央付近に対応して配された基体（２５）と、この基体（２５）から横方向に互いに離間するように張り出した一対の羽根体（２６）（２６）とを備え、前記一対の羽根体（２６）（２６）の先端部（２９）（２９）間の横幅が前記通風用開口部（１７）の屋外側の横幅よりも幅広とされ、前記一対の羽根体（２６）（２６）の先端部（２９）（２９）裏側に、前記風取込口（３０）（３０）がそれぞれ形成された請求項１記載の通風機能を有するドア。
【請求項３】
前記一対の羽根体（２６）（２６）は、前記基体（２５）から遠ざかるにつれて前記通風用開口部（１７）から離間する傾斜片（２８）（２８）を備え、これら傾斜片（２８）（２８）における前記風取込口（３０）（３０）に対向する裏面が前記風当たり部（３１）（３１）とされた請求項２記載の通風機能を有するドア。
【請求項４】
前記カバー部材（２２）よりも屋内側に、前記通風用開口部（１７）を開閉する小扉（２３）が設けられ、この小扉（２３）は、屋内側から開閉操作可能とされている請求項１乃至３のいずれかに記載の通風機能を有するドア。
【請求項５】
前記カバー部材（２２）と前記小扉（２３）との間に、前記通風用開口部（１７）を覆うようにして防虫網（３８）が張設された請求項４記載の通風機能を有するドア。
【発明の詳細な説明】
【技術分野】
【０００１】
この発明は、主として住宅やマンション等の建物の玄関ドアとして用いられる通風機能を有するドアに関する。
【背景技術】
【０００２】
従来より、例えば特許文献１や特許文献２にも開示されているように、住宅やマンション等の建物における玄関ドアとして、通風機能を有するものが各種提案されている。
【０００３】
特許文献１に記載の玄関ドアは、ドア本体に屋内外を連通する通風用開口部が形成され、通風用開口部の屋外側及び屋内側を覆うカバー部材が設けられ、屋外側のカバー部材の両側端部付近には、風を取り込む隙間が形成されている。特許文献２に記載の玄関ドアは、ドア本体に屋内外を連通する通風用開口部が形成され、通風用開口部の屋外側を覆うカバー部材が設けられ、通風用開口部の屋内側に小扉が設けられ、カバー部材には、風を取り込む通風孔が形成されている。
【先行技術文献】
【特許文献】
【０００４】
【特許文献１】特開２００２−５４３６２号公報
【特許文献２】特開平１１−２００７２３号公報
【発明の概要】
【発明が解決しようとする課題】
【０００５】
一般に、建物周辺の風は、建物外壁に沿って横方向に流れる傾向にあり、玄関ドア付近ではドア本体の屋外側表面に沿って横方向に流れることが多い。ところが、上記の玄関ドアにおいては、ドア本体の屋外側表面に対して向ってくるように流れる風については、比較的スムーズに取り込んで通風用開口部へ流れ込ませることができるが、ドア本体の屋外側表面に沿って横方向に流れる風については、スムーズに取り込んで通風用開口部へ流れ込ませることができず、通風効率が悪いといった不具合があった。
【０００６】
また、玄関ドア自体を屋外側へ僅かに開け放して、この状態を金具等で保持することで、通風を確保することも一般的に行われている。この場合、建物外壁に沿って横方向に流れる風をスムーズに取り込んで通風効率を高めることができるものの、防犯上の配慮に欠け、また屋外側から建物内部が見える（特に集合住宅では共用部分から居室内が見える）こともあってプライバシー保護の配慮にも欠けることから、特に集合住宅においては使用し難いといった不具合があった。
【０００７】
この発明は、上記の不具合を解消して、防犯やプライバシー保護に配慮しながら通風効率を高めることができる通風機能を有するドアの提供を目的とする。
【課題を解決するための手段】
【０００８】
上記課題を解決するため、この発明の通風機能を有するドア１は、ドア本体１０に屋内外を連通する通風用開口部１７が形成され、前記通風用開口部１７の屋外側を覆い隠すカバー部材２２が前記ドア本体１０の屋外側表面１０ａよりも屋外方向へ張り出した状態で固定され、前記ドア本体１０の屋外側表面１０ａに沿って横方向に流れる風を前記カバー部材２２の裏側に取り込む風取込口３０、３０が形成され、前記カバー部材２２の裏側に、前記風取込口３０、３０から取り込んだ風が前記通風用開口部１７へ流れ込むように風の流れを切り換える風当たり部３１、３１が設けられたことを特徴とする。
【０００９】
具体的に、前記カバー部材２２は、前記通風用開口部１７の幅方向中央付近に対応して配された基体２５と、この基体２５から横方向に互いに離間するように張り出した一対の羽根体２６、２６とを備え、前記一対の羽根体２６、２６の先端部２９、２９間の横幅が前記通風用開口部１７の屋外側の横幅よりも幅広とされ、前記一対の羽根体２６、２６の先端部２９、２９の裏側に、前記風取込口３０、３０がそれぞれ形成されている。
【００１０】
また、前記一対の羽根体２６、２６は、前記基体２５から遠ざかるにつれて前記通風用開口部１７から離間する傾斜片２８、２８を備え、これら傾斜片２８、２８における前記風取込口３０、３０に対向する裏面が前記風当たり部３１、３１とされている。
【００１１】
さらに、前記カバー部材２２よりも屋内側に、前記通風用開口部１７を開閉する小扉２３が設けられ、この小扉２３は、屋内側から開閉操作可能とされている。さらにまた、前記カバー部材２２と前記小扉２３との間に、前記通風用開口部１７を覆うようにして防虫網３８が張設されている。
【発明の効果】
【００１２】
この発明の通風機能を有するドアにおいては、ドア本体の屋外側表面に沿って横方向に流れる風を、風取込口からカバー部材の裏側へスムーズに取り込むとともに、風当たり部を利用して通風用開口部へ効率良く流れ込ませて、屋内へ取り入れることができる。しかも、ドアを閉めて施錠したままでの通風が可能であり、さらにカバー部材によって通風用開口部の屋外側が覆い隠され、屋外側から通風用開口部が見える角度や位置が制限されて、通風用開口部を通して屋内側が見え難くなっている。これにより、防犯やプライバシー保護に配慮しながら、通風効率を格段に高めることができる。
【００１３】
また、カバー部材における羽根体の先端部間の横幅を通風用開口部の屋外側の横幅よりも幅広として、それら先端部の裏側に風取込口をそれぞれ形成することで、通風用開口部及び風取込口が屋外側からより一層見え難くなって、ドア自体の見栄えも向上することができる。
【００１４】
さらに、カバー部材における一対の羽根体の傾斜片裏面を風当たり部とすることで、カバー部材の裏側に風当たり部となる部材を別途設けずに済み、構造の簡略化を図ることができる。
【００１５】
また、通風用開口部を開閉する小扉を設けることで、状況に応じて通風を阻止することができ、しかも小扉を屋内側から開閉操作可能とすることで、屋内に居ながらにして通風の許容、阻止の切り換えを行うことができ、使用性の向上を図ることができる。さらにまた、通風用開口部を防虫網で覆うことで、通風時における屋内への害虫の侵入を防止することができる。
【図面の簡単な説明】
【００１６】
【図１】この発明の一実施形態に係る通風機能を有するドアを屋外側から見た図である。
【図２】同じくその屋内側から見た図である。
【図３】通風ユニット部分の横断面図である。
【図４】小扉を開けた状態にしたときの通風ユニット部分の横断面図である。
【図５】通風ユニット部分の縦断面図である。
【発明を実施するための形態】
【００１７】
以下、この発明の実施形態を図面に基づいて詳細に説明する。この発明の一実施形態に係る通風機能を有するドア１は、建物の玄関ドアとして用いられるものであって、図１及び図２に示すように、屋外側へ向って片開きするように、建物側のドア枠２に丁番３を介して取り付けられている。
【００１８】
この玄関ドア１は、ドア本体１０と、このドア本体１０の縦長貫通孔１１に装着された縦長の通風ユニット２０とを備えている。なお、１２は把手、１３は玄関錠、１４はサムターン、１５は郵便投入口、１６は郵便受箱である。また、縦長貫通孔１１及び通風ユニット２０は、サムターン１４から離れたドア本体１０の基端部（丁番３側の端部）に沿って配置されていて、防犯上の配慮がなされている。
【００１９】
通風ユニット２０は、屋内外間の通風を制御するもので、図３乃至図５に示すように、縦長の枠部材２１と、縦長のカバー部材２２、縦長の小扉２３とを備えている。
【００２０】
枠部材２１は、左右一対の縦材２１ａ、２１ａと上下一対の横材２１ｂ、２１ｂとを方形枠状に組み付けてなる。この枠部材２１は、ドア本体１０の縦長貫通孔１１に沿って嵌め込まれていて、枠部材２１によって囲まれた部分が屋内外を連通する縦長の通風用開口部１７とされている。
【００２１】
カバー部材２２は、ドア本体１０に形成された上記の通風用開口部１７の屋外側を覆い隠すもので、ドア本体１０の屋外側表面１０ａよりも屋外方向へ張り出した状態で固定されている。
【００２２】
具体的に、カバー部材２２は、通風用開口部１７の幅方向中央付近に対応して配された基体２５と、この基体２５から横方向に互いに離間するように張り出した一対の羽根体２６、２６と、基体２５及び羽根体２６、２６の上下端部に取り付けられた一対の蓋体２７、２７とを備えている。
【００２３】
基体２５は、扁平角筒状に形成され、その上下端部付近がドア本体１０に固定されて、その裏面（屋内側の面）がドア本体１０の屋外側表面１０ａと略面一になるように配置されている。
【００２４】
羽根体２６は、基体２５から遠ざかるにつれて通風用開口部１７から離間する傾斜片２８を備え、この傾斜片２８の先端から延出した略Ｌ形の屈曲部分が先端部２９とされている。そして、一対の羽根体２６、２６は、それら先端部２９、２９間の横幅（カバー材２２の横幅）が通風用開口部１７の屋外側の横幅よりも幅広とされていて、先端部２９、２９の裏側（先端部２９、２９とドア本体１０の屋外側表面１０ａとの間）には、ドア本体１０の屋外側表面１０ａに沿って横方向に流れる風をカバー部材２２の裏側に取り込む風取込口３０、３０がそれぞれ形成されている。さらに、一対の羽根体２６、２６の傾斜片２８、２８における風取込口３０、３０に対向する裏面（屋内側の面）が、風取込口３０、３０から取り込んだ風が通風用開口部１７へ流れ込むように風の流れを切り換える風当たり部３１、３１とされている。
【００２５】
上側の蓋体２７は、屋外側中央部が屋内方向へ凹んだ平板状に形成され、羽根体２６、２６の裏側空間の上端開口を塞ぐようにして配置されている。下側の蓋体２７は、上側の蓋体２７と同様に、屋外側中央部が屋内方向へ凹んだ平板状に形成され、羽根体２６、２６の裏側空間の下端開口を塞ぐようにして配置されている。これにより、風取込口３０、３０からカバー部材２２の裏側に取り込んだ風が、上下方向へ逃げ出ないようになっている。
【００２６】
小扉２３は、カバー部材２２よりも屋内側において通風用開口部１７を開閉するもので、方形枠状の扉枠３５内に面材３６を嵌め込むことによって構成されていて、屋内側へ向って片開きするように、枠部材２１に取り付けられている。なお、枠部材２１には、その内周に沿ってシール材３７が方形枠状に取り付けられ、小扉２３を閉めた状態において、その扉枠３５がシール材３７に当接するようになっている。
【００２７】
また、上記の通風ユニット２０においては、カバー部材２２と小扉２３との間に防虫網３８が設けられている。この防虫網３８は、通風用開口部１７の屋外側を覆うようにして、枠部材２１に張設されている。
【００２８】
上記構成の玄関ドア１においては、図４に示すように、通風ユニット２０の小扉２３を開けた状態にすると、ドア本体１０の屋外側表面１０ａに沿って横方向に流れる風が、風取込口３０、３０からカバー部材２２の裏側へスムーズに取り込まれる。そして、カバー部材２２の裏側に取り込まれた風は、カバー部材２２の裏側の風当たり部３１、３１に当たることで流れが切り換わって、防虫網２８を通って通風用開口部１７へ効率良く流れ込み、屋内へ吹き込むことになる。なお、屋内へ風を取り入れる必要のない場合には、図３に示すように、通風ユニット２０の小扉２３を閉めた状態とすることで、通風用開口部１７がしっかりと閉塞されて、通風が確実に阻止される。
【００２９】
これにより、換気扇や空調設備を使用せずに屋内へ風を取り入れることができ、しかも従来のような通風機能を有する玄関ドアと比べて、ドア本体１０の屋外側表面１０ａに沿って横方向に流れる風を効果的に捕らえて、通風効率を格段に高めることができる。加えて、玄関ドア１を閉めて施錠したままで屋内へ風を取り入れることができ、さらにカバー部材２２によって通風用開口部１７の屋外側が覆い隠されて、通風用開口部１７を通して屋内側が見え難くなっていることから、防犯やプライバシー保護にも十分に配慮することできる。
【００３０】
以上に、この発明の実施形態について説明したが、この発明は、上記実施形態に限定されるものではなく、この発明の範囲内で種々変更して実施することが可能である。例えば、この発明の通風機能を有するドアは、玄関ドアに適用されるだけでなく、勝手口や通用口等のドアに適用しても良い。
【符号の説明】
【００３１】
１・・ドア、１０・・ドア本体、１０ａ・・ドア本体の屋外側表面、１７・・通風用開口部、２２・・カバー部材、２３・・小扉、２５・・基体、２６・・羽根体、２８・・傾斜片、２９・・羽根体の先端部、３０・・風取込口、３１・・風当たり部、３８・・防虫網
【図１】
2014031674.tif 000003
【図２】
2014031674.tif 000004
【図３】
2014031674.tif 000005
【図４】
2014031674.tif 000006
【図５】
2014031674.tif 000007